(57)【要約】【課題】デジタル撮影装置の制御方法を提供する。【解決手段】（ａ）ユーザーが前記第１ボタンを操作して第１信号を発生させると、前記記録媒体に動映像ファイルを作成し、入力される動映像データを前記動映像ファイルに保存するステップと、（ｂ）ユーザーが前記第２ボタンを操作して第１信号を発生させると、入力される動映像データの保存を中断するステップと、（ｃ）ユーザーが前記第２ボタンを操作して第２信号を発生させると、入力される動映像データを前記動映像ファイルに保存するのを再開するステップと、（ｄ）ユーザーが前記第１ボタンを操作して第２信号を発生させると、入力される動映像データの保存を中断して、前記動映像ファイルを完成させるステップとを含んでいる。【選択図】図５
2014220825.tif 000002
【特許請求の範囲】
【請求項１】
動映像撮影モードで、入力される動映像データを記録媒体に記録するデジタル撮影装置の制御方法であって、
前記デジタル撮影装置は、第１信号又は第２信号を発生させる第１ボタン及び第２ボタンを有しており、
（ａ）ユーザーが前記第１ボタンを操作して第１信号を発生させると、前記記録媒体に動映像ファイルを作成し、入力される動映像データを前記動映像ファイルに保存するステップと、
（ｂ）ユーザーが前記第２ボタンを操作して第１信号を発生させると、入力される動映像データの保存を中断するステップと、
（ｃ）ユーザーが前記第２ボタンを操作して第２信号を発生させると、入力される動映像データを前記動映像ファイルに保存するのを再開するステップと、
（ｄ）ユーザーが前記第１ボタンを操作して第２信号を発生させると、入力される動映像データの保存を中断して、前記動映像ファイルを完成させるステップと
を含むことを特徴とするデジタル撮影装置の制御方法。
【請求項２】
前記（ｂ）及び（ｃ）のステップを繰り返して行うことを特徴とする請求項１に記載のデジタル撮影装置の制御方法。
【請求項３】
前記（ａ）及び（ｃ）ステップでは、
前記動映像データと対応するオーディオデータを、前記動映像ファイルに保存することを特徴とする請求項１に記載のデジタル撮影装置の制御方法。
【請求項４】
動映像撮影モードで、入力される動映像データを記録媒体に記録するデジタル撮影装置であって、
第１信号又は第２信号を発生させる第１ボタン及び第２ボタンを有しており、
ユーザーが前記第１ボタンを操作して第１信号を発生させると、前記記録媒体に動映像ファイルを作成し、入力される動映像データを前記動映像ファイルに保存するステップと、
ユーザーが前記第２ボタンを操作して第１信号を発生させると、入力される動映像データの保存を中断するステップと、
ユーザーが前記第２ボタンを操作して第２信号を発生させると、入力される動映像データを前記動映像ファイルに保存するのを再開するステップと、
ユーザーが前記第１ボタンを操作して第２信号を発生させると、入力される動映像データの保存を中断して、前記動映像ファイルを完成させるステップと
を含む制御方法を使用していることを特徴とするデジタル撮影装置。
【発明の詳細な説明】
【技術分野】
【０００１】
本発明は、デジタル撮影装置の制御方法及びその方法を使用したデジタル撮影装置に関し、より詳細には、動映像撮影モードで、入力される動映像データを記録媒体に保存するデジタル撮影装置の制御方法、及びその方法を使用したデジタル撮影装置に関する。
【背景技術】
【０００２】
従来のデジタル撮影装置では、設定モードでユーザーの選択によって動作条件を設定し、プレビューモードで入力映像をディスプレイパネルに表示し、撮影モードで映像データを記録媒体に保存し、再生モードで記録媒体に保存された映像データの映像をディスプレイパネルに表示するように構成されている。例えば、特許文献１に開示されている「デジタルカメラ」、又は特許文献２に開示されている「デジタルカメラおよびその動作制御方法」を参照されたい。
【０００３】
従来のデジタル撮影装置における動映像撮影モードでの動作について説明する。まず、ユーザーがデジタル撮影装置のあるボタン（例えば、デジタルカメラのシャッターボタン）を押せば、記録媒体に動映像ファイルが作成され、入力される動映像データは処理された後、その動映像ファイルに保存される。次に、ユーザーが前記ボタンをもう一度押せば、入力される動映像データの保存は中断され、その動映像ファイルは完成する。
【０００４】
この操作は、動映像撮影モードにおいて頻繁に行われる。つまり、ユーザーが前記ボタンをもう一度押すと、他の動映像ファイルが作成され、その後、入力される動映像データは処理され、その動映像ファイルに保存される。次に、ユーザーが前記ボタンをもう一度押せば、入力される動映像データの保存は中断され、その動映像ファイルが完成する。
【０００５】
【特許文献１】特開平１１−３３１６８９公報
【特許文献２】特開２００２−２２３３７７号公報
【発明の概要】
【発明が解決しようとする課題】
【０００６】
しかしながら、上記した従来のデジタル撮影装置の制御方法では、動映像撮影ボタンを押す度に動映像ファイルが作成されるので、ユーザーは、異なる時間に撮影された動映像を連続的に再生することができなかった。
【０００７】
そこで、本発明の課題は、異なる時間に撮影された動映像を連続的に再生することができるデジタル撮影装置の制御方法、及びその方法を使用したデジタル撮影装置を提供することにある。
【課題を解決するための手段】
【０００８】
前記課題を解決するために、本発明に係るデジタル撮影装置の制御方法は、動映像撮影モードのときに、入力される動映像データを記録媒体に記録するデジタル撮影装置の制御方法であって、（ａ）〜（ｄ）のステップを含んでいる。なお、前記デジタル撮影装置は、第１信号又は第２信号を発生させる第１ボタン及び第２ボタンを有している。（ａ）のステップでは、ユーザーが前記第１ボタンを操作して第１信号を発生させると、前記記録媒体に動映像ファイルを作成し、入力される動映像データを前記動映像ファイルに保存する。（ｂ）のステップでは、ユーザーが前記第２ボタンを操作して第１信号を発生させると、入力される動映像データの保存を中断する。（ｃ）のステップでは、ユーザーが前記第２ボタンを操作して第２信号を発生させると、入力される動映像データを前記動映像ファイルに保存するのを再開する。（ｄ）のステップでは、ユーザーが前記第１ボタンを操作して第２信号を発生させると、入力される動映像データの保存を中断して、前記動映像ファイルを完成させる。
【０００９】
また、前記課題を解決するために、本発明に係るデジタル撮影装置は、上記のデジタル撮影装置の制御方法を使用する。
【００１０】
本発明に係るデジタル撮影装置の制御方法及びその方法を使用したデジタル撮影装置によれば、異なる時間に撮影された動映像を連続的に再生することができる。
【図面の簡単な説明】
【００１１】
【図１】本発明に係るデジタル撮影装置であるデジタルカメラ１の外観を示す図であり、デジタルカメラ１を前方から見た図である。
【図２】本発明に係るデジタル撮影装置であるデジタルカメラ１の外観を示す図であり、デジタルカメラ１を後方から見た図である。
【図３】図１に示したデジタルカメラ１の全体構成を示す図である。
【図４】図３に示したＤＳＰの主アルゴリズムを説明するためのフローチャートである。
【図５】図４に示した動映像撮影モードを実行する際（ステップＳ４２）のアルゴリズムを説明するためのフローチャートである。
【図６】図５に示したステップＳ４２１０〜Ｓ４２１９の第１の実施形態を示すタイミングチャートである。
【図７】図６の第１実施形態で作成された動映像ファイルの構造を示すブロック図である。
【図８】図５に示したステップＳ４２１０〜Ｓ４２１９の第２の実施形態を示すタイミングチャートである。
【図９】図５に示したステップＳ４２１０〜Ｓ４２１９の第３の実施形態を示すタイミングチャートである。
【図１０】図４のプレビューモードを実行する際（ステップＳ２）のアルゴリズムを説明するためのフローチャートである。
【図１１】図４の静止映像撮影モードを実行する際（ステップＳ４１）のアルゴリズムを説明するためのフローチャートである。
【発明を実施するための形態】
【００１２】
以下、本発明に係るデジタル撮影装置の制御方法及びその方法を使用しているデジタル撮影装置について、図面を参照しつつ詳細に説明する。なお、《特許請求の範囲》における「第１ボタン」はシャッターボタン１３であり、「第２ボタン」はマクロ／下向き移動／停止−再開ボタン１５Ｐである。また、《特許請求の範囲》における「第１ボタンの第１信号、第２信号」は第２レベル信号Ｓ２であり、「第２ボタンの第１信号、第２信号」は停止−再開信号である。
【００１３】
図１及び図２は、本発明に係るデジタル撮影装置であるデジタルカメラ１の外観を示す図である。図１に示すように、デジタルカメラ１の前方には、マイクロホンＭＩＣ、セルフタイマーランプ１１、フラッシュ１２、シャッターボタン１３、ビューファインダー１７ａ、フラッシュ光量センサー１９、電源スイッチ３１、レンズ部２０、及び遠隔受信部４１が設けられている。
【００１４】
セルフタイマーランプ１１は、セルフタイマーモードのときに、シャッターボタン１３が押された時点から映像を保存し始める時点までの設定時間の間に動作する。フラッシュ光量センサー１９は、フラッシュ１２が動作した際に、フラッシュ１２により生成された光量を感知し、その感知した光量を、マイクロ制御器５１２（図３参照）を介してデジタル・シグナル・プロセッサ５０７（ＤＳＰ、図３参照）に入力する。遠隔受信部４１は、遠隔制御器（図示せず）からの命令信号（例えば、撮影命令信号）を受信し、その命令信号を、マイクロ制御器５１２を介してＤＳＰ５０７に入力する。
【００１５】
シャッターボタン１３は、２つのレベルを有している。つまり、広角ズームボタン３９Ｗ及び望遠ズームボタン３９Ｔを操作した後、ユーザーがシャッターボタン１３を第１のレベルまで押せば、シャッターボタン１３からの第１レベル信号Ｓ１がオンになる。また、シャッターボタン１３を第２のレベルまで押せば、シャッターボタン１３からの第２レベル信号Ｓ２がオンになる（図５及び図１１参照）。
【００１６】
図２に示すように、デジタルカメラ１の後方には、モードダイヤル１４、機能ボタン１５、手動フォーカシング／削除ボタン３６、手動調整／再生ボタン３７、再生モードボタン４２、スピーカーＳＰ、モニターボタン３２、自動焦点ランプ３３、ビューファインダー１７ｂ、フラッシュ待機ランプ３４、カラーＬＣＤパネル３５、広角ズームボタン３９Ｗ、望遠ズームボタン３９Ｔ、及び外部インターフェース部２１が設けられている。
【００１７】
モードダイヤル１４は、ユーザーが、カメラの動作モードを選択するのに使われる。動作モードとしては、簡易撮影モード、プログラム撮影モード、人物撮影モード、夜景撮影モード、手動撮影モード、動映像撮影モード１４ＭＰ、ユーザー設定モード１４ＭＹ、及び録音モード１４Ｖなどがある。
【００１８】
動映像撮影モード１４ＭＰを選択した後、ユーザーがシャッターボタン１３を一度押せば、記録媒体であるメモリカードに動映像ファイルが作成され、入力される動映像データは動映像ファイルに保存される。次に、ユーザーが機能ボタン１５の内のマクロ／下向き移動／停止−再開ボタン１５Ｐを一度押せば、入力される動映像データの保存は中断される。次に、ユーザーがマクロ／下向き移動／停止−再開ボタン１５Ｐをもう一度押せば、入力される動映像データを動映像ファイルに保存するのを再開する。そして、ユーザーがシャッターボタン１３をもう一度押せば、入力される動映像データの保存は中断され、動映像ファイルが完成する。このように、異なる時間に撮影された全ての動映像データは共に同じ動映像ファイルに保存されるので、異なる時間フレームの動映像を連続的に再生することが可能になる。動映像撮影モード１４ＭＰについては、後で、図４〜図９を参照しつつ詳細に説明する。
【００１９】
ユーザー設定モード１４ＭＹは、静止映像又は動映像撮影モードに必要な撮影情報をユーザーが設定する動作モードである。
【００２０】
録音モード１４Ｖは、サウンド（例えば、ユーザーの音声）だけを録音する動作モードである。録音モード１４Ｖを選択した後、ユーザーがシャッターボタン１３を一度押せば、記録媒体であるメモリカードにオーディオファイルが作成され、入力されるサウンド（オーディオデータ）はオーディオファイルに保存される。次に、ユーザーが機能ボタン１５の内のマクロ／下向き移動／停止−再開ボタン１５Ｐを一度押せば、入力されるオーディオデータの保存は中断される。次に、ユーザーがマクロ／下向き移動／停止−再開ボタン１５Ｐをもう一度押せば、入力されるオーディオデータをオーディオファイルに保存するのを再開する。そして、ユーザーがシャッターボタン１３をもう一度押せば、入力されるオーディオデータの保存は中断され、オーディオファイルが完成する。このように、異なる時間に録音された全てのオーディオデータは共に同じオーディオファイルに保存されるので、異なる時間フレームのサウンドを連続的に再生することが可能になる。
【００２１】
機能ボタン１５は、ユーザーがデジタルカメラ１の特定の機能を操作するときに使われる。また、機能ボタン１５は、カラーＬＣＤパネル３５のメニュー画面で、活性化カーソルの方向移動ボタンとして使われる。
【００２２】
例えば、静止映像又は動映像撮影モードで、ユーザーがマクロ／下向き移動／停止−再開ボタン１５Ｐを押すことによって、近接自動フォーカシングが設定される。また、ユーザーがメニュー／選択−確認ボタン１５Ｍを押すと何れか１つの動作モードの条件を設定するためのメニューが表示され、その後、ユーザーがマクロ／下向き移動／停止−再開ボタン１５Ｐを押せば活性化カーソルが下向き移動する。また、動映像撮影モード又は録音モードにおけるマクロ／下向き移動／停止−再開ボタン１５Ｐの機能は前述したとおりである。
【００２３】
ユーザーが音声−メモ／上向き移動ボタン１５Ｒを押せば、連続的な撮影中に１０秒間録音が可能である。また、ユーザーがメニュー／選択−確認ボタン１５Ｍを押すと何れか１つの動作モードの条件を設定するためのメニューが表示され、その後、ユーザーが音声−メモ／上向き移動ボタン１５Ｒを押せば活性化カーソルが上向き移動する。また、活性化カーソルが何れか１つの選択項目に位置した状態でユーザーがメニュー／選択−確認ボタン１５Ｍを押せば前記選択項目に対応する動作が行われる。
【００２４】
手動フォーカシング／削除ボタン３６は、撮影モードにおいて、ユーザーの手動フォーカシング又は削除操作に使われる。手動調整／再生ボタン３７は、特定条件の手動調整、及び再生モードにおける停止又は再生などの機能のために使われる。再生モードボタン４２は、再生又はプレビューモードへの変更に使われる。
【００２５】
モニターボタン３２は、ユーザーがカラーＬＣＤパネル３５の動作を制御する際に使われる。例えば、撮影モードにおいて、ユーザーがモニターボタン３２を押せば、カラーＬＣＤパネル３５に被写体の映像及びその撮影情報が表示される。そして、ユーザーがモニターボタン３２をもう一度押せば、カラーＬＣＤパネル３５に提供される電源が遮断される。また、再生モードにおいて、何れか１つの映像ファイルが再生されている状態で、ユーザーがモニターボタン３２を押せば、再生されている映像ファイルの撮影情報がカラーＬＣＤパネル３５に表示される。そして、ユーザーがモニターボタン３２をもう一度押せば、映像だけが表示される。
【００２６】
自動焦点ランプ３３は、焦点が合った時に動作する。フラッシュ待機ランプ３４は、フラッシュ１２（図１参照）が動作待機状態である場合に動作する。モード指示ランプ１４Ｌは、モードダイヤル１４の選択モードを示す。
【００２７】
図３は、図１に示したデジタルカメラ１の全体構成を示す図である。以下、図１〜図３を参照しつつ、デジタルカメラ１の全体構成及び動作を説明する。
【００２８】
レンズ部とフィルタ部を含む光学系ＯＰＳは、被写体からの光を光学的に処理する。光学系ＯＰＳのレンズ部は、ズームレンズ、フォーカスレンズ、及び補償レンズを含んでいる。
【００２９】
ユーザーがユーザー入力部ＩＮＰに含まれている広角ズームボタン３９Ｗ又は望遠ズームボタン３９Ｔを押せば、それに対応する信号がマイクロ制御器５１２に入力される。マイクロ制御器５１２はレンズ駆動部５１０を制御し、ズームモータＭＺを駆動させることによりズームレンズを移動させる。つまり、広角ズームボタン３９Ｗを押せばズームレンズの焦点長さが短くなって画角が広くなり、望遠ズームボタン３９Ｔを押せばズームレンズの焦点長さが長くなって画角が狭くなる。ここで、フォーカスレンズの位置はズームレンズの位置が設定された状態で調整されるので、画角はフォーカスレンズの位置に対してほとんど影響を受けない。
【００３０】
自動焦点モードでは、ＤＳＰ５０７に内蔵された主制御器がマイクロ制御器５１２を介してレンズ駆動部５１０を制御することにより、フォーカスモータＭＦを駆動させる。これによりフォーカスレンズは移動し、この過程で、映像信号の高周波成分が最も多くなるフォーカスレンズの位置（例えば、フォーカスモータＭＦの駆動ステップ数）が設定される。
【００３１】
光学系ＯＰＳのレンズ部の補償レンズは、全体的な屈折率を補償する役割を行うので別途に駆動されない。ＭＡ（図３参照）は、絞り（図示せず）を駆動するためのモータを示している。
【００３２】
光学系ＯＰＳのフィルタ部では、光学的低域通過フィルタ（Optical Low Pass Filter）が高周波成分の光学的ノイズを除去する。また、赤外線遮断フィルタが入射される光の赤外線成分を遮断する。
【００３３】
光電変換部ＯＥＣであるＣＣＤ（Charge Coupled Device）又はＣＭＯＳ（Complementary Metal-Oxide-Semiconductor）は、光学系ＯＰＳからの光を電気的アナログ信号に変換する。ＤＳＰ５０７は、タイミング回路５０２を制御して、光電変換部ＯＥＣとアナログデジタル変換部５０１の動作を制御する。アナログデジタル変換部であるＣＤＳ−ＡＤＣ（Correlation Double Sampler and Analog-to-Digital Converter）素子５０１は、光電変換部ＯＥＣからのアナログ信号を処理して、その高周波ノイズを除去し、振幅を調整した後、前記アナログ信号をデジタル信号に変換する。
【００３４】
リアルタイムクロック５０３は、ＤＳＰ５０７に時間情報を提供する。ＤＳＰ５０７は、ＣＤＳ−ＡＤＣ素子５０１からのデジタル信号を処理して、輝度及び色度信号に分類されたデジタル映像信号を発生させる。
【００３５】
発光部ＬＡＭＰは、主制御器を内蔵するＤＳＰ５０７で発生された制御信号に応じて、マイクロ制御器５１２によって駆動される。発光部ＬＡＭＰは、セルフタイマーランプ１１、自動焦点ランプ３３、モード指示ランプ１４Ｌ、及びフラッシュ待機ランプ３４を含んでいる。ユーザー入力部ＩＮＰは、シャッターボタン１３、モードダイヤル１４、機能ボタン１５、モニターボタン３２、手動フォーカシング／削除ボタン３６、手動調整／再生ボタン３７、広角ズームボタン３９Ｗ、及び望遠ズームボタン３９Ｔを含んでいる。
【００３６】
ＤＲＡＭ５０４は、ＤＳＰ５０７からのデジタル映像信号を一時的に記憶する。ＥＥＰＲＯＭ（Electrically Erasable and Programmable Read Only Memory）５０５は、ＤＳＰ５０７の動作に必要なアルゴリズム及び設定データを記憶している。ユーザーのメモリカードは、メモリカードインターフェース５０６に着脱される。ＤＳＰ５０７からのデジタル映像信号はＬＣＤ駆動部５１４に入力され、これによってカラーＬＣＤパネル３５に映像が表示される。
【００３７】
ＤＳＰ５０７からのデジタル映像信号は、ＵＳＢ（Universal Serial Bus）接続部２１ａ又はＲＳ２３２Ｃインターフェース５０８とその接続部２１ｂを介して、シリアル通信として伝送することができる。また、ＤＳＰ５０７からのデジタル映像信号は、ビデオフィルタ５０９及びビデオ出力部２１ｃを介してビデオ信号として伝送することができる。なお、ＤＳＰ５０７は、その内部に主制御器を内蔵している。
【００３８】
オーディオ処理器５１３は、マイクロホンＭＩＣからの音声信号を、ＤＳＰ５０７又はスピーカーＳＰを介して出力する。また、オーディオ処理器５１３は、ＤＳＰ５０７からのオーディオ信号を、スピーカーＳＰを介して出力する。マイクロ制御器５１２は、フラッシュ光量センサー１９からの信号に応じてフラッシュ制御器５１１の動作を制御して、フラッシュ１２を駆動する。
【００３９】
図４は、図３に示したＤＳＰの主アルゴリズムを説明するためのフローチャートである。以下、図１〜図４を参照しつつ、図３に示したＤＳＰ５０７の主アルゴリズムについて説明する。
【００４０】
デジタルカメラ１に電力が供給されると、ＤＳＰ５０７は初期化を行う（ステップＳ１）。初期化ステップが実行された後、ＤＳＰ５０７はプレビューモードを実行する（ステップＳ２）。プレビューモードでは、入力映像をディスプレイパネル３５に表示する。プレビューモードに関しては、後に、図１０を参照しつつ詳細に説明する。
【００４１】
続いて、ＤＳＰ５０７は、現在の動作モードを確認する（ステップＳ３、以下、録音モードに関連する説明は省略する）。次に、ＤＳＰ５０７は、現在の動作モードに基づいて、静止映像撮影モード又は動映像撮影モードを行う（ステップＳ４１又はＳ４２）。静止映像撮影モードを実行するとき（ステップＳ４１）のアルゴリズムについては、後に、図１１を参照しつつ説明する。また、動映像撮影モードを実行するとき（ステップＳ４２）のアルゴリズムについては、後に、図５〜図９を参照しつつ説明する。
【００４２】
続いて、ユーザー入力部ＩＮＰから設定モードに相当する信号が入力されると（ステップＳ５）、ユーザー入力部ＩＮＰからの入力信号に対応する動作条件を設定するための設定モードが実行される（ステップＳ６）。そして、終了信号が発生しなければ（ステップＳ７）、ＤＳＰ５０７は次のステップＳ８に進む。
【００４３】
ユーザー入力部ＩＮＰの再生モードボタン４２から信号が発生すれば（ステップＳ８）、再生モードを実行する（ステップＳ９）。この再生モードでは、ユーザー入力部ＩＮＰからの入力信号によって動作条件が設定され、再生動作が行われる。次に、再生モードボタン４２から信号がもう一度発生すれば（ステップＳ１０）、先のステップＳ２に戻り、前述したステップＳ２以降を再び繰り返す。
【００４４】
図５は、図４に示した動映像撮影モードを実行する際（ステップＳ４２）のアルゴリズムを説明するためのフローチャートである。以下、図１〜図３及び図５を参照して、図４に示した動映像撮影モードを実行する際のアルゴリズムについて説明する。
【００４５】
まず、ＤＳＰ５０７は、記録媒体であるメモリカードの残量を検査し（ステップＳ４２０１）、メモリカードがデジタル動映像データを記録可能な容量を有しているかどうかを確認する（ステップＳ４２０２）。メモリカードが記録可能な容量を有していない場合は、ＤＳＰ５０７はメモリカードの容量が不足していると表示させる（ステップＳ４２０３）。メモリカードが記録可能な容量を有している場合は、以下のステップを行う。
【００４６】
まず、ＤＳＰ５０７は、現在設定されている撮影条件に基づいて白色均衡（ホワイト・バランス）の設定を行い、その白色均衡と関連したパラメータを設定する（ステップＳ４２０４）。そして、自動露出（ＡＥ：Automatic Exposure）モードであれば（ステップＳ４２０５）、ＤＳＰ５０７は、入射輝度に対する露光量を計算し、その計算された露光量に基づいて絞り駆動モータＭＡを駆動してシャッター速度を設定する（ステップＳ４２０６）。
【００４７】
次に、自動フォーカシングモードであれば（ステップＳ４２０７）、ＤＳＰ５０７は自動フォーカシングを行ってフォーカスレンズを駆動する（ステップＳ４２０８）。
【００４８】
次に、ＤＳＰ５０７は、シャッターボタン１３からの第１レベル信号Ｓ１がオン状態であれば（ステップＳ４２０９）、次のステップＳ４２１０に進む。
【００４９】
まず、ＤＳＰ５０７は、Ｓ２信号がオン状態であるかどうかを確認する（ステップＳ４２１０）。Ｓ２信号がオン状態でなければ、それはユーザーが撮影のためにシャッターボタン１３を第２レベルまで押していないということであるから、先のステップＳ４２０５に戻り、ＤＳＰ５０７は前述したステップＳ４２０５〜Ｓ４２１０を再び繰り返す。逆に、Ｓ２信号がオン状態であれば、それはユーザーが撮影のためにシャッターボタン１３を第２レベルまで押したということであるから、ＤＳＰ５０７はメモリカードに１つの動映像ファイルを作成する（ステップＳ４２１１）。
【００５０】
続いて、ＤＳＰ５０７は、ＣＤＳ−ＡＤＣ素子５０１からの動映像データをＭＰＥＧ（Motion Picture Experts Group）又はＭＪＰＥＧ（Motion Joint Photographic Experts Group）の圧縮アルゴリズムを使用して圧縮した後、その圧縮された動映像データを前記動映像ファイルに保存する（ステップＳ４２１２）。
【００５１】
動映像データを圧縮して動映像ファイルに保存する過程では、マクロ／下向き移動／停止−再開ボタン１５Ｐからの停止−再開信号が発生せず、シャッターボタン１３からの第１レベル信号Ｓ１と第２レベル信号Ｓ２の両方がオン状態であれば、ＤＳＰ５０７は、入力される動映像データの保存を中断して動映像ファイルを完成させる（ステップＳ４２１３、Ｓ４２１８、Ｓ４２１９、及びＳ４２２０）。
【００５２】
逆に、マクロ／下向き移動／停止−再開ボタン１５Ｐにより停止−再開信号が発生すれば（ステップＳ４２１３）、ＤＳＰ５０７は、動映像データの保存を中断する（ステップＳ４２１４）。保存が中断された状態で、マクロ／下向き移動／停止−再開ボタン１５Ｐにより停止−再開信号がさらに発生すれば（ステップＳ４２１５）、ＤＳＰ５０７は、先の保存ステップＳ４２１２を再び実行する（ステップＳ４２１２）。また、シャッターボタン１３からの第１レベル信号Ｓ１と第２レベル信号Ｓ２の両方がオン状態であれば、ＤＳＰ５０７は、入力される動映像データの保存を中断して、動映像ファイルを完成させる（ステップＳ４２１６、Ｓ４２１７、及びＳ４２２０）。
【００５３】
図６は、図５に示したステップＳ４２１０〜Ｓ４２１９の第１の実施形態を示すタイミングチャートである。図６を参照して、符号Ｓ２はシャッターボタン１３（図１参照）からの第２レベル信号Ｓ２を示し、符号ＳＰはマクロ／下向き移動／停止−再開ボタン１５Ｐ（図２参照）からの信号（停止−再開信号）を示し、符号ＤＳはメモリカードに保存される動映像データを示している。
【００５４】
図５及び図６を参照して、ｔ１の時点でシャッターボタン１３からの第２レベル信号Ｓ２がオン状態であれば（ステップＳ４２１０）、メモリカードに第１動映像ファイルが作成され（ステップＳ４２１１）、作成された第１動映像ファイルに第１動映像データＤＳ１が保存される（ステップＳ４２１２）。次に、ｔ２で、マクロ／下向き移動／停止−再開ボタン１５Ｐにより停止−再開信号が発生すれば（ステップＳ４２１３）、第１動映像データＤＳ１の保存が中断される（ステップＳ４２１４）。次に、ｔ３で、マクロ／下向き移動／停止−再開ボタン１５Ｐにより停止−再開信号が再び発生すれば（ステップＳ４２１５）、第１動映像データＤＳ１を保存したのと同じ第１動映像ファイルに第２動映像データＤＳ２を保存する（ステップＳ４２１２）。次に、ｔ４の時点で、シャッターボタン１３からの第２レベル信号Ｓ２がオン状態であれば、入力される第２動映像データＤＳ２の保存を中断して、動映像ファイルを完成させる（ステップＳ４２１９及びＳ４２２０）。
【００５５】
図７は、図６の第１実施形態で作成された動映像ファイルの構造を示すブロック図である。図７に示すように、動映像ファイル７には、ファイル開始部７１、ヘッドデータ７２、第１動映像データＤＳ１、第２動映像データＤＳ２、第１オーディオデータ７４１、第２オーディオデータ７４２、その他のデータ７５、及びファイル終了部７６が保存されている。ファイル開始部７１は、ファイル開始を知らせるデータを含んでいる。ヘッドデータ７２は、ファイル形式を知らせるデータを含んでいる。
【００５６】
ユーザーの選択によって異なる時間フレームに分けられた第１動映像データＤＳ１と第２動映像データＤＳ２は、共に同じ動映像ファイル７に保存される。したがって、異なる時間に撮影された動映像を連続的に再生することができる。また、第１動映像データＤＳ１に対応する第１オーディオデータ７４１と、第２動映像データＤＳ２に対応する第２オーディオデータ７４２も、共に同じ動映像ファイル７に保存される。ただし、第１オーディオデータ７４１と第２オーディオデータ７４２は、ユーザーが設定した動映像撮影条件によっては、動映像ファイル７に保存されない場合もある。その他のデータ７５は、ユーザーの選択による字幕データを含んでいる。ファイル終了部７６は、ファイル終了を知らせるデータを含んでいる。
【００５７】
図８は、図５に示したステップＳ４２１０〜Ｓ４２１９の第２の実施形態を示すタイミングチャートである。図８に示す第２の実施形態は、ｔ４以降に、ｔ５とｔ６があるという点が、図６に示した第１の実施形態と異なる。なお、図６に示した第１の実施形態と同様の部分には、同一の符号を付してその説明を省略する。また、ｔ１〜ｔ４の動作についても、図６に示した第１の実施形態と同様なので、その説明を省略する。
【００５８】
図５及び図８を参照して、ｔ５で、シャッターボタン１３からの第２レベル信号Ｓ２がオン状態であれば（ステップＳ４２１０）、メモリカードに第２動映像ファイルが作成され（ステップＳ４２１１）、動映像データは作成された第２動映像ファイルに保存される（ステップＳ４２１２）。そして、ｔ６で、シャッターボタン１３からの第２レベル信号Ｓ２がオン状態であれば、入力される動映像データの保存を中断し、動映像ファイルを完成させる（ステップＳ４２１９及びＳ４２２０）。
【００５９】
図９は、図５に示したステップＳ４２１０〜Ｓ４２１９の第３の実施形態を示すタイミングチャートである。なお、図６に示した第１の実施形態と同様の部分には、同一の符号を付してその説明を省略する。
【００６０】
図５及び図９を参照して、ｔ１で、シャッターボタン１３からの第２レベル信号Ｓ２がオン状態であれば（ステップＳ４２１０）、メモリカードに第１動映像ファイルが作成され（ステップＳ４２１１）、作成された第１動映像ファイルに動映像データが保存される（ステップＳ４２１２）。ｔ２で、マクロ／下向き移動／停止−再開ボタン１５Ｐにより停止−再開信号が発生された場合は（ステップＳ４２１３）、動映像データの保存が中断される（ステップＳ４２１４）。次に、ｔ３で、シャッターボタン１３からの第２レベル信号Ｓ２がオン状態であれば、入力される動映像データを保存し、第１動映像ファイルを完成させる（ステップＳ４２１５〜Ｓ４２１７、及びステップＳ４２２０）。
【００６１】
次に、ｔ４時点で、動映像撮影モードの実行が終了した場合は、マクロ／下向き移動／停止−再開ボタン１５Ｐにより停止−再開信号が発生されたとしても、動映像の撮影は行われない。
【００６２】
次に、ｔ５で、シャッターボタン１３からの第２レベル信号Ｓ２がオン状態であれば（ステップＳ４２１０）、メモリカードに第２動映像ファイルが作成され（ステップＳ４２１１）、動映像データは作成された第２動映像ファイルに保存される（ステップＳ４２１２）。そして、ｔ６で、シャッターボタン１３からの第２レベル信号Ｓ２がオン状態であれば、入力される動映像データの保存を中断し、動映像ファイルを完成させる（ステップＳ４２１９及びＳ４２２０）。
【００６３】
図１０は、図４のプレビューモードを実行する際（ステップＳ２）のアルゴリズムを説明するためのフローチャートである。以下、図１〜図３及び図１０を参照して、図４のプレビューモードを実行する際のアルゴリズムについて説明する。
【００６４】
まず、ＤＳＰ５０７は、自動白色均衡（ＡＷＢ：Automatic White Balance）動作を行い、白色均衡と関連するパラメータを設定する（ステップＳ２０１）。
【００６５】
次に、自動露出（ＡＥ：Automatic Exposure）モードであれば（ステップＳ２０２）、ＤＳＰ５０７は、入射輝度に対する露光量を計算し、計算された露光量に基づいて絞り駆動モータＭＡを駆動させてシャッター速度を設定する（ステップＳ２０３）。
【００６６】
次に、ＤＳＰ５０７は、入力映像データに対してガンマ補正を行い（ステップＳ２０４）、ガンマ補正が行われた入力映像データに対してディスプレイ規格に合わせてスケーリングを行う（ステップＳ２０５）。
【００６７】
次に、ＤＳＰ５０７は、スケーリングが行われた入力映像データの形式を、赤色（Ｒ）−緑色（Ｇ）−青色（Ｂ）の形式から輝度−色度の形式に変換する（ステップＳ２０６）。次に、ＤＳＰ５０７は、解像度及び表示位置に基づいて入力映像データを処理し、フィルタリングを行う（ステップＳ２０７）。
【００６８】
次に、ＤＳＰ５０７は、入力映像データをＤＲＡＭ５０４（図３参照）に一時的に保存する（ステップＳ２０８）。
【００６９】
次に、ＤＳＰ５０７は、ＤＲＡＭ５０４（図３参照）に一時的に保存されたデータと、ＯＳＤ（On-Screen Display）データとを合成する（ステップＳ２０９）。次に、ＤＳＰ５０７は、合成された映像データの形式を、輝度−色度の形式からＲ−Ｇ−Ｂの形式に変換し（ステップＳ２１０）、変換された形式の映像データをＬＣＤ駆動部５１４（図３参照）に出力する（ステップＳ２１１）。
【００７０】
図１１は、図４の静止映像撮影モードを実行する際（ステップＳ４１）のアルゴリズムを説明するためのフローチャートである。以下、図１〜図３及び図１１を参照して、図４の静止映像撮影モードを実行する際のアルゴリズムについて説明する。なお、ズームレンズの現在位置は既に設定された状態である。
【００７１】
まず、ＤＳＰ５０７は、メモリカードの残量を検査して（ステップＳ４１０１）、デジタル映像信号を記録可能な容量を有しているかどうかを確認する（ステップＳ４１０２）。記録可能な容量を有していない場合は、ＤＳＰ５０７はメモリカードの容量が不足していると表示した後、静止映像撮影モードの実行を終了する（ステップＳ４１０３）。メモリカードが記録可能な容量を有している場合は、以下のステップが行われる。
【００７２】
まず、ＤＳＰ５０７は、現在設定されている撮影条件に基づいて白色均衡の設定を行い、その白色均衡と関連したパラメータを設定する（ステップＳ４１０４）。そして、自動露出モードであれば（ステップＳ４１０５）、ＤＳＰ５０７は、入射輝度に対する露光量を計算し、その計算された露光量に基づいて絞り駆動モータＭＡを駆動してシャッター速度を設定する（ステップＳ４１０６）。
【００７３】
次に、自動フォーカシングモードであれば（ステップＳ４１０７）、ＤＳＰ５０７は自動フォーカシングを行ってフォーカスレンズを駆動する（ステップＳ４１０８）。
【００７４】
次に、ＤＳＰ５０７はシャッターボタン１３からの第１レベル信号Ｓ１がオン状態であれば（ステップＳ４１０９）、次のステップＳ４２１０に進む。
【００７５】
まず、ＤＳＰ５０７は、Ｓ２信号がオン状態であるかどうかを確認する（ステップＳ４１１０）。Ｓ２信号がオン状態でなければ、それはユーザーが撮影のためにシャッターボタン１３を第２レベルまで押していないということであるから、先のステップＳ４１０５に戻り、ＤＳＰ５０７は前述したステップＳ４１０５〜Ｓ４１１０を再び繰り返す。逆に、Ｓ２信号がオン状態であれば、それはユーザーが撮影のためにシャッターボタン１３を第２レベルまで押したということであるから、ＤＳＰ５０７は記録媒体であるメモリカードに静止映像ファイルを作成する（ステップＳ４１１１）。
【００７６】
続いて、ＤＳＰ５０７は、静止映像を記録する（ステップＳ４１１２）。つまり、ＤＳＰ５０７は、ＣＤＳ−ＡＤＣ素子５０１から静止映像データを受け取る。そして、ＤＳＰ５０７は受け取った静止映像データを圧縮し（ステップＳ４１１３）、ＤＳＰ５０７はその圧縮された静止映像データを静止映像ファイルに保存する（ステップＳ４１１４）。
【００７７】
以上、本発明の実施の形態について説明したが、本発明は前記した実施形態のみに限定されるものではなく、本発明の技術的思想に基づく限りにおいて、種々の変形が可能である。
【産業上の利用可能性】
【００７８】
本発明は、動映像撮影モードで、入力される動映像データを記録媒体に保存するデジタル撮影装置の制御方法、及びその方法を使用したデジタル撮影装置に適用することができる。
【符号の説明】
【００７９】
１ デジタルカメラ
１１ セルフタイマーランプ
１２ フラッシュ
１３ シャッターボタン
１４ モードダイヤル
１５ 機能ボタン
１７ａ、１７ｂ ビューファインダー
１９ フラッシュ光量センサー
２０ レンズ部
２１ 外部インターフェース部
ＭＩＣ マイクロホン
ＳＰ スピーカー
３１ 電源ボタン
３２ モニターボタン
３３ 自動焦点ランプ
３４ フラッシュ待機ランプ
３５ カラーＬＣＤパネル
３６ 手動フォーカシング／削除ボタン
３７ 手動調整／再生ボタン
３９Ｗ 広角ズームボタン
３９Ｔ 望遠ズームボタン
ＯＰＳ 光学系
ＯＥＣ 光電変換部
ＭＺ ズームモータ
ＭＦ フォーカスモータ
ＭＡ 絞りモータ
５０１ アナログデジタル変換部
５０２ タイミング回路
５０３ リアルタイムクロック
５０４ ＤＲＡＭ
５０５ ＥＥＰＲＯＭ
５０６ メモリカードインターフェース
５０７ デジタル・シグナル・プロセッサ（ＤＳＰ）
５０８ ＲＳ２３２Ｃインターフェース
５０９ ビデオフィルタ
２１ａ ＵＳＢ接続部
２１ｂ ＲＳ２３２Ｃ接続部
２１ｃ ビデオ出力部
５１０ レンズ駆動部
５１１ フラッシュ制御器
５１２ マイクロ制御器
ＩＮＰ ユーザー入力部
ＬＡＭＰ 発光部
５１３ オーディオ処理器
５１４ ＬＣＤ駆動部
【図１】
2014220825.tif 000003
【図２】
2014220825.tif 000004
【図３】
2014220825.tif 000005
【図４】
2014220825.tif 000006
【図５】
2014220825.tif 000007
【図６】
2014220825.tif 000008
【図７】
2014220825.tif 000009
【図８】
2014220825.tif 000010
【図９】
2014220825.tif 000011
【図１０】
2014220825.tif 000012
【図１１】
2014220825.tif 000013
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
レンズ部と、
前記レンズ部を通過した光を画像電気信号に変換する光電変換部と、
音声電気信号を生成するマイクロホン部と、
１つ若しくは複数のプロセッサとを含み、
前記プロセッサは、
前記画像電気信号から動画データを生成すると共に、前記音声電気信号から音声データを生成し、
動画撮影動作、静止画撮影動作及び音声録音動作を制御し、
前記音声録音動作を実行している間に、生成された前記音声データを音声ファイルに記録し、
前記動画撮影動作を実行している間に、生成された前記音声データ及び前記動画データを動画ファイルに記録し、
（ａ）前記動画データの記録が行われていない場合に、第１の入力が検出されたならば、前記動画データの記録を開始し、
（ｂ）前記動画データの記録が行われている場合に、第２の入力が検出されたならば、前記動画データの記録を中断し、
（ｃ）前記動画データの記録が中断されている場合に、第３の入力が検出されたならば、前記動画データの記録を再開し、
（ｄ１）前記動画データの記録が行われている場合に、第４の入力が検出されたならば、前記動画データの記録を停止しかつ前記動画ファイルを閉じ、
（ｄ２）前記動画データの記録が中断されているがまだ前記動画ファイルが閉じられていない場合に、前記第４の入力が検出されたならば、前記動画ファイルを閉じるように構成されたことを特徴とする電子装置。
【請求項２】
前記第２の入力及び前記第４の入力は、別個の入力部により入力されることを特徴とする請求項１に記載の装置。
【請求項３】
前記入力部の各々は、ボタンであることを特徴とする請求項２に記載の装置。
【請求項４】
前記第３の入力及び前記第４の入力は、別個の入力部により入力されることを特徴とする請求項１に記載の装置。
【請求項５】
前記入力部の各々は、ボタンであることを特徴とする請求項４に記載の装置。
【請求項６】
前記プロセッサは、複数のアルゴリズムにおいて、少なくとも２つの異なるタイムフレームに、音声を含めて記録された前記動画ファイル内の動画データを連続して再生することを特徴とする請求項１に記載の装置。
【請求項７】
前記動画ファイルは、ファイル開始部、動画データ及びファイル終了部を含むことを特徴とする請求項１に記載の装置。
【請求項８】
前記プロセッサは、複数のアルゴリズムにより、前記静止画撮影動作を実行している間に、前記画像電気信号から生成された静止画データを静止画ファイルに記録することを特徴とする請求項１に記載の装置。
【請求項９】
前記１つ若しくは複数のプロセッサは、前記動画データの記録が行われていない場合に、第１の入力を検出したならば、前記動画ファイルを作成するように構成されていることを特徴とする請求項１に記載の装置。
【請求項１０】
動画データを記録するための方法であって、
画像電気信号から動画データを生成すると共に、音声電気信号から音声データを生成し、
動画撮影動作、静止画撮影動作及び音声録音動作を制御し、
前記音声録音動作を実行している間に、生成された前記音声データを音声ファイルに記録し、
前記動画撮影動作を実行している間に、生成された前記音声データ及び前記動画データを動画ファイルに記録し、
（ａ）前記動画データの記録が行われていない場合に、第１の入力が検出されたならば、前記動画データの記録を開始し、
（ｂ）前記動画データの記録が行われている場合に、第２の入力が検出されたならば、前記動画データの記録を中断し、
（ｃ）前記動画データの記録が中断されている場合に、第３の入力が検出されたならば、前記動画データの記録を再開し、
（ｄ１）前記動画データの記録が行われている場合に、第４の入力が検出されたならば、前記動画データの記録を停止しかつ前記動画ファイルを閉じ、
（ｄ２）前記動画データの記録が中断されているがまだ前記動画ファイルが閉じられていない場合に、前記第４の入力が検出されたならば、前記動画ファイルを閉じることを特徴とする方法。
【請求項１１】
前記第２の入力及び前記第４の入力は、別個の入力部により入力されることを特徴とする請求項１０に記載の方法。
【請求項１２】
前記入力部の各々は、ボタンであることを特徴とする請求項１１に記載の方法。
【請求項１３】
前記第３の入力及び前記第４の入力は、別個の入力部により入力されることを特徴とする請求項１０に記載の方法。
【請求項１４】
前記入力部の各々は、ボタンであることを特徴とする請求項１３に記載の方法。
【請求項１５】
少なくとも２つの異なるタイムフレームに、音声を含めて記録された前記動画ファイル内の動画データを連続して再生することを特徴とする請求項１０に記載の方法。
【請求項１６】
前記動画ファイルは、ファイル開始部、動画データ及びファイル終了部を含むことを特徴とする請求項１０に記載の方法。
【請求項１７】
前記静止画撮影動作を実行している間に、前記画像電気信号から生成された静止画データを静止画ファイルに記録することを特徴とする請求項１０に記載の方法。
【請求項１８】
前記動画データの記録が行われていない場合に、第１の入力を検出したならば、前記動画ファイルを作成することを特徴とする請求項１０に記載の方法。